(57)【要約】通信装置の電力増幅器を有する送信段用のデジタルローデータ値の適応的プリディストーション方法で、以下の各ステップ：ａ）デジタルローデータ値（Ｖｍ）を、電力増幅器（６）の振幅依存及び位相依存の歪を補償するためのルックアップテーブル（２）からのプリディストーション値と乗算することによって、デジタルローデータ値（Ｖｍ）をプリディストーションし、該プリディストーションの際、ルックアップテーブル（２）に、デジタルローデータ値（Ｖｍ）の振幅とプリディストーション値との間の対応関係を有するステップ、ｂ）電力増幅器（６）の出力信号値（Ｖｒ）を、適応ユニット（９）にフィードバックするステップ、ｃ）デジタルローデータ値（Ｖｍ）を適応ユニット（９）に供給するステップ、ｄ）電力増幅器（６）の歪の評価のために、適応ユニット（９）で、時間的に相互に相応するデジタルローデータ値（Ｖｍ）と出力信号値（Ｖｒ）とを比較するステップ、ｅ）ステップｄ）の結果に基づいて、ルックアップテーブル（２）を適応するステップを有する方法において、適応ユニット（９）を非連続的に作動させ、ルックアップテーブル（２）のプリディストーション値を、少なくとも、発生していないデジタルローデータ値（Ｖｍ）に内挿／外挿する。更に、方法を実施するための装置が記載されている。
2006502630.tif 000002
【特許請求の範囲】
【請求項１】
例えば、移動通信端末装置又は移動無線網の基地局のような、通信装置の電力増幅器（６）を有する送信段用のデジタルローデータ値の適応的プリディストーション方法であって、以下の各ステップ：
ａ）前記デジタルローデータ値（Ｖｍ）を、前記電力増幅器（６）の振幅依存及び位相依存の歪を補償するためのルックアップテーブル（２）からのプリディストーション値と乗算することによって、前記デジタルローデータ値（Ｖｍ）をプリディストーションし、該プリディストーションの際、前記ルックアップテーブル（２）に、前記デジタルローデータ値（Ｖｍ）の振幅と前記プリディストーション値との間の対応関係を有するステップ、
ｂ）前記電力増幅器（６）の出力信号値（Ｖｒ）を、適応ユニット（９）にフィードバックするステップ、
ｃ）前記デジタルローデータ値（Ｖｍ）を前記適応ユニット（９）に供給するステップ、
ｄ）前記電力増幅器（６）の歪の評価のために、前記適応ユニット（９）で、時間的に相互に相応する前記デジタルローデータ値（Ｖｍ）と前記出力信号値（Ｖｒ）とを比較するステップ、
ｅ）前記ステップｄ）の結果に基づいて、前記ルックアップテーブル（２）を適応するステップ
を有する方法において、
適応ユニット（９）を非連続的に作動させ、ルックアップテーブル（２）のプリディストーション値を、少なくとも、発生していないデジタルローデータ値（Ｖｍ）に内挿／外挿することを特徴とする方法。
【請求項２】
ステップＤ）の結果に基づく適応化は、時間窓内で行われる請求項１記載の方法。
【請求項３】
相互に順次連続する時間窓間の間隔を、電力増幅器（６）の歪に作用を及ぼす外部パラメータ、及び、所望の妨害抑制に依存して決定する請求項２記載の方法。
【請求項４】
ローデータ値（Ｖｍ）の振幅の関数としての出力信号値（Ｖｒ）の振幅に対して、各時間窓毎に、多項式を算出し、該多項式の関数値に基づいて、ルックアップテーブルのプリディストーション値を特定する請求項１から３の何れか１記載の方法。
【請求項５】
ローデータ値（Ｖｍ）の相互に続く所定数の振幅間隔に基づいて多項式を算出し、前記各振幅間隔に、当該振幅間隔内に入っているローデータ値（Ｖｍ）の平均値と、所属の出力信号値（Ｖｒ）の平均値とを対応付ける請求項４記載の方法。
【請求項６】
プリディストーション値の実数部を処理する請求項1から５迄の何れか1記載の方法。
【請求項７】
プリディストーション値の複素部を処理する請求項1から５迄の何れか1記載の方法。
【請求項８】
例えば、移動通信端末装置又は移動無線網の基地局のような、通信装置の電力増幅器の線型化装置であって、
前記電力増幅器（６）の振幅依存歪を補償するために、デジタルローデータ値（Ｖｍ）をプリディストーション値と乗算する乗算器（３）を有しており、ルックアップテーブル（２）は、前記デジタルローデータ値（Ｖｍ）と前記プリディストーション値との対応付けを有しており、
前記電力増幅器（６）の出力信号値とデジタルローデータ値（Ｖｍ）とを時間的に同期して供給して、ルックアップテーブル（２）を適応化するように構成された適応ユニット（９）
を有する装置において、
適応ユニット（９）は、ルックアップテーブル（２）の適応のために利用される時間窓を定義する時間発生器を有している
ことを特徴とする装置。
【発明の詳細な説明】
【技術分野】
【０００１】
本発明は、請求項１上位概念に記載の、通信装置の電力増幅器を有する送信段用のデジタルローデータ値の適応的プリディストーション方法、並びに、請求項８上位概念に記載の、方法を実施するための装置に関する。
【０００２】
専門論文”Ａｍｐｌｉｆｉｅｒ  Ｌｉｎｅａｒｉｓａｔｉｏｎ  Ｕｓｉｎｇ  Ａｄａｐｔｉｖｅ  Ｄｉｇｉｔａｌ  Ｐｒｅｄｉｓｔｏｒｔｉｏｎ”，Ｓ．Ｐ．Ｓｔａｐｌｅｔｏｎ，”Ａｐｐｌｉｅｄ  Ｍｉｃｒｏ  Ｗａｖｅ  ＆  Ｗｉｒｅｌｅｓｓ”，２００１年２月刊、７２〜７７頁から、以下の各ステップ：
ａ）デジタルローデータ値を、電力増幅器の振幅依存及び位相依存の歪を補償するためのルックアップテーブルからのプリディストーション値と乗算することによって、デジタルローデータ値をプリディストーションし、該プリディストーションの際、ルックアップテーブルに、デジタルローデータ値の振幅とプリディストーション値との間の対応関係を有するステップ、
ｂ）電力増幅器の出力信号値を、適応ユニットにフィードバックするステップ、
ｃ）デジタルローデータ値を適応ユニットに供給するステップ、
ｄ）電力増幅器の歪の評価のために、適応ユニットで、時間的に相互に相応するデジタルローデータ値と出力信号値とを比較するステップ、
ｅ）ステップｄ）の結果に基づいて、ルックアップテーブルを適応するステップ
を有する適応的プリディストーション方法が記載されている。
【０００３】
この方法は、連続的に実施され、以下の目的を有している：
最新の移動通信技術で、もっと高い伝送速度ともっと高いスペクトル効率が必要とされるので、ＱＡＭ又はＱＰＳＫのような、「比較的高次段階の（”ｈｏｅｈｅｒｓｔｕｆｉｇｅ）」変調方式の重要性が増し、それに対して、ＦＳＫ又はＧＭＳＫのような一定包絡線特性の変調方式は、あまり関心が持たれていない。最初に挙げた変調方法では、送信信号の振幅も位相も情報を有している。従って、電力増幅器による増幅の際に、振幅も位相もできる限り歪がないようにし続ける必要がある。
【０００４】
しかし、その際、実際の電力増幅器は全て、特性曲線として直線の理想的な場合とは異なって、非線型の伝送特性曲線を有しているという点を考慮する必要がある。
【０００５】
そのような非線型作動の電力増幅器は、所謂ＡＭ−ＡＭコンバージョン、即ち、ローデータ値の振幅に依存して、電力増幅器の出力信号値の振幅に変換することと、ＡＭ−ＦＭコンバージョン、即ち、ローデータ値の振幅に依存して、電力増幅器での位相シフトに変換することによって特徴付けられる。
【０００６】
実際の電力増幅器の伝送特性曲線の非線型性によって、歪が生じる。その際、基本周波数の高調波が生じ、この高調波は、基本周波数とは別に、電力増幅器の出力側に出力される。電力増幅器の入力側に、少なくとも２つの基本周波数が入力される場合には、これらの２つの基本周波数の各高調波が生じ、その際、各高調波が混合される。適切なフィルタ手段によって、発生高調波を抑制することができる。しかし、この手法は、各高調波の上述のような周波数混合に基づいて、基本周波数近傍の相互変調積には役立たない。その限りで、電力増幅器の有効信号乃至出力信号は、相互変調積によって妨害される。この妨害は、高く選定された適切なバックオフによって抑制することができ、そうすることによって、電力増幅器の伝送特性曲線の非線型性が最小化され、線型作動するように調整される。しかし、そうすることによって、エネルギ消費量が高くなってしまい、電力増幅器の経済性が劣化してしまう。
【０００７】
付加的に、構成的な手段を用いて、即ち、電子構成素子を補完することによって、フィルタ手段によって抑制することができない相互変調積に関して、同様に補助手段を提供することができる。この手段には、適応的なデジタルプリディストーション用の構成的な構成が属し、この構成によって、チャネル近傍の妨害が、比較的大きな周波数スペクトルに亘って分布され、従って、この妨害の振幅を最小にすることができる。
【０００８】
これに関連して、電力増幅器の測定を用いて、プリディストーション用のルックアップテーブルを算出することが公知である。しかし、例えば、作動温度の上昇、又は、電力増幅器の給電電圧の変化といった、環境条件の変化に適合することは、そのような統計的なプリディストーションでは可能ではない。
【０００９】
それに対して、上述の専門論文では、リアルタイムで、プリディストーション用のルックアップテーブルを定常的に適応させるプリディストーション方法が記載されている。これは、ローデータ値の振幅と位相を、電力増幅器の出力信号値の振幅と位相との比較に基づいて行われる。このことを前提として、プリディストーション値は、電力増幅器のその都度の作動点で、歪が補償されるように調整される。
【００１０】
しかし、リアルタイムでルックアップテーブルの定常的な適応を実行すると、非常に高い計算コストが必要であるという欠点が生じる。
【００１１】
このような従来技術の欠点に基づいて、本発明の課題は、極めて小さな計算効率しか必要としない、電力増幅器用の適合的なプリディストーション方法を提供すること、及び、そのような方法を実施するための装置を提供することにある。
【００１２】
この課題は、例えば、移動通信端末装置又は移動無線網の基地局のような、通信装置の電力増幅器を有する送信段用のデジタルローデータ値の適応的プリディストーション方法に関して、以下の各ステップ：
ａ）前記デジタルローデータ値を、電力増幅器の振幅依存及び位相依存の歪を補償するためのルックアップテーブルからのプリディストーション値と乗算することによって、デジタルローデータ値をプリディストーションし、該プリディストーションの際、ルックアップテーブルに、デジタルローデータ値の振幅と前記プリディストーション値との間の対応関係を有するステップ、
ｂ）電力増幅器の出力信号値を、適応ユニットにフィードバックするステップ、
ｃ）デジタルローデータ値を適応ユニットに供給するステップ、
ｄ）電力増幅器の歪の評価のために、適応ユニットで、時間的に相互に相応するデジタルローデータ値と出力信号値とを比較するステップ、
ｅ）ステップｄ）の結果に基づいて、ルックアップテーブルを適応するステップ
を有しており、その際、適応ユニットを非連続的に作動させ、ルックアップテーブルのプリディストーション値を、少なくとも、発生していないデジタルローデータ値に内挿／外挿することにより解決される。
【００１３】
この方法の決定的な利点は、従来技術に較べて、プリディストーションに必要な計算効率を著しく節約することができる点にある。これは、ローデータ値の適切なプリディストーションのために使われるルックアップテーブルを連続的に適応化しないようにして達成される。寧ろ、適応ユニットは非連続的に作動し、その結果、所期のように、電力増幅器のローデータ値と出力信号値との相互に所属する対を完全に集めて適応化に利用しないようにされる。少なくとも、適応ユニットの非連続作動に基づいて適合される、ローデータ値と出力信号値との対が生じないようなプリディストーション値は、ルックアップテーブル内で自動的に補完される。そのために、使われる振幅スペクトル内に欠けているローデータ値／出力信号値の対の位置に応じて、所属のプリディストーション値が内挿乃至外挿される。
【００１４】
有利には、ステップＤ）の結果に基づく適応化は、時間窓内で行われる。そのような時間窓内で、ローデータ値も出力信号値も集められ、その後、ステップｄ）で相互に比較されて、ローデータ値の振幅及び／又は位相に関しての、電力増幅器の歪について有意義なデータを提供することができるようになる。
【００１５】
その際、相互に順次連続する時間窓間の間隔は、電力増幅器の歪に作用を及ぼす外部パラメータ、及び、所望の隣接チャネル妨害の抑制に依存して決定することができる。例えば、電力増幅器の作動パラメータ及びその給電電圧は、電力増幅器の歪特性に作用し、即ち、電力増幅器の非線型伝送特性に作用する。電力増幅器の線型化が、どの程度まで必要とされるかは、殊に、電力増幅器の出力側での相互変調積の抑制が、例えば、移動無線規格によってどの程度に規定されているかに依存する。
【００１６】
ローデータ値の振幅の関数としての出力信号値の振幅に対して、各時間窓毎に、多項式を算出することができ、その際、この多項式の関数値に基づいて、ルックアップテーブルのプリディストーション値が特定される。詳細には、その際、ローデータ値の関数として、出力信号値の経過を記述するのに基本的に適した多項式の各係数が、適応ユニットを用いて算出される。簡単にするために、各出力信号値を、各出力信号値の最大値と各ローデータ値の最大値とから算出される、電力増幅器の全増幅度に正規化するとよい。
【００１７】
多項式を用いる利点は、プリディストーション値の経過特性を平滑化することができる点にある。多項式は、当該時間窓内に欠けているローデータ値／出力信号値の対の外挿／内挿のためにも利用することができる。
【００１８】
この方法で、各プリディストーション値の実数部も複素部も処理することができる点が強調される。これは、電力増幅器の位相歪も重要であるかどうかに依存している。そのような重要性があるかどうかは、即座にステップｄ）を用いて決定することができる。例えば、比較により、ローデータ値及び出力信号値の各位相がほんの僅かでも異なっている場合には、相応のプリディストーションによる位相補正をやらずに、専らプリディストーション値の実数部を用いて処理される。プリディストーション値の、この実数部は、電力増幅器の振幅歪を補償するのに使われる。
【００１９】
上述の課題は、例えば、移動通信端末装置又は移動無線網の基地局のような、通信装置の電力増幅器の線型化装置に関して、
電力増幅器の振幅依存歪を補償するために、デジタルローデータ値をプリディストーション値と乗算する乗算器を有しており、その際、ルックアップテーブルは、デジタルローデータ値とプリディストーション値との対応付けを有しており、
電力増幅器の出力信号値とデジタルローデータ値とを時間的に同期して供給して、ルックアップテーブルを適応化するように構成された適応ユニットを有する装置において、適応ユニットは、ルックアップテーブルの適応のために利用される時間窓を定義する時間発生器を有しているようにして解決される。
【００２０】
設けられている時間発生器の役割は、プリディストーション値の適応化のために、ローデータ値と出力信号値とを集める時間窓を決めることであり、ローデータ値と出力信号値とは、それから、適応ユニットで後続処理することができる。
【００２１】
以下、本発明について、図示の実施例を用いて詳細に説明する。その際、１図面は、移動通信端末装置の送信段のブロック略図を示す。
【００２２】
図から分かるように、移動通信端末の送信段を用いて送信すべき情報を含むローデータＶｍが、ローデータ値の振幅間隔と、所属のプリディストーション値との間の数Ｎの対応関係が記憶されたルックアップテーブル２を含むプリディストーションユニット１に供給される。従って、その都度選択すべきプリディストーション値が、ローデータ値Ｖｍの振幅から得られる。
【００２３】
複素乗算器３で、その都度使用すべき、ルックアップテーブル２からのプリディストーション値が、複素乗算器３に丁度入力されたローデータ値と乗算される。その都度適したプリディストーション値の選択は、振幅算出ユニット４を用いて行われ、振幅算出ユニット４の入力側には、ローデータ値が供給され、ローデータ値の出力側には、ローデータ値の２乗値が出力されて、ルックアップテーブル２に供給される。
【００２４】
プリディストーションユニット１の複素乗算器３の出力信号は、デジタル／アナログ変換器１１に供給されて、アナログ信号Ｖｄが形成され、このアナログ信号Ｖｄは、２乗変調器５の入力側に供給され、２乗変調器５は、このアナログ信号Ｖｄを適切な搬送波上に変調する。２乗変調器５の出力信号は、電力増幅器６に供給され、この電力増幅器は、所望の増幅度で信号を増幅して、出力信号Ｖａを供給し、この出力信号は、アンテナ（図示していない）を介して放射される。
【００２５】
電力増幅器６は、経済性の理由から、２乗変調器５の出力信号の振幅が少なくとも部分的に、電力増幅器６の非線型作動領域内にあり、即ち、電力増幅器６の特性曲線が２乗変調器５の出力信号の入力振幅の少なくとも一部分で非線型であるように選定される。
【００２６】
電力増幅器６の特性曲線の非線型性に基づいて、２乗変調器５の出力信号の振幅誤差も位相誤差も生じる。
【００２７】
付加的に、送信終段が所定のように移動通信端末装置内、又は、移動無線網の基地局内にも使用される場合、電力増幅器６内での高調波及び周波数混合の形成に基づいて、隣接チャネル妨害が生じる。
【００２８】
電力増幅器６の特性曲線の非線型性に基づいて生じる振幅及び位相歪は、複素乗算器３を用いて、ルックアップテーブル２内の歪値を使用して補償することができる。その際、プリディストーション値の実数部は、振幅誤差の補償のために使われ、プリディストーション値の虚数部は、電力増幅器６の位相誤差の補償のために使われる。使用されている電力増幅器６での位相歪がどの程度影響を及ぼすかに依存して、本発明の簡単な実施例では、実数のプリディストーション値と簡単な乗算器を用いて処理することができ、その結果、電力増幅器の振幅誤差に関しての補償だけが行われる。
【００２９】
ルックアップテーブル２へのエントリは、適合的にアクチュエートされる。そのために、以下のように行われる：
電力増幅器６の出力信号Ｖａが取り出されて、送信終段の２乗復調器７に供給され、２乗復調器７は、２乗変調器５と同様に、搬送波周波数を供給する局部発振器１２と通常のように接続される。
【００３０】
ベースバンドでの出力信号Ｖａの後続の帰還路内で、この出力信号は、アナログ−デジタル変換器に供給され、このアナログ−デジタル変換器の出力側に、電力増幅器６の出力信号値を含むデジタル信号Ｖｒが出力される。信号Ｖｒは、適合化ユニット９の第１の入力側に供給され、適合化ユニット９の第２の入力側には、ローデータ値を含むデジタルローデータ信号Ｖｍが供給される。その際、デジタルローデータ信号Ｖｍは、遅延ユニット１０を通過し、この遅延ユニット１０の役割は、ローデータ信号Ｖｍを、適合化ユニット９の両入力側に、時間的に相互に相応するローデータ値と出力信号値とが入力される。
【００３１】
適合ユニット９の役割は、電力増幅器６の作動特性で場合によって生じた変動により、振幅及び位相歪に作用が及ぼされるが、このような電力増幅器６の作動特性で場合によって生じた変動を、ルックアップテーブル２でのプリディストーション値の変化に変換することにある。計算出力を節約するために、適合ユニット９は、所定の時間窓内で集められたローデータ値と出力データ値とを用いて作動する。従来技術と異なり、連続的な適合は行われないので、選択された時間窓は、規則的にＮの振幅間隔に関して規則的に、適切なアルゴリズムによる計算を用いて推定される間隔を有している。
【００３２】
適合ユニット９による適合を行うことができる前に、先ず、遅延ユニット１０の遅延時間Ｖｄ用の適切な値を算出することができる。そのために、考慮している時間窓内で、デジタルローデータ値信号Ｖｍとの相関を介して戻されたデジタル出力信号Ｖｒを用いて、遅延時間τＤが評価され、その際、遅延時間τＤ用の所要の精度が、相応の補間によって達成することができる。従って、プリディストーション値の適合の前提条件は、ルックアップテーブル内に基本的に形成されている。
【００３３】
その際、考察している時間窓内で、適合ユニット９を用いて、ローデータ値も出力信号値も集められ、その際、ローデータ値の振幅用の値領域は、Ｎの間隔内に調整される。その後、ローデータ値の２乗値及び電力増幅器６の出力信号値が算出される。
【００３４】
共通のローデータ振幅間隔ｎ内に入るローデータ値及び出力信号値の振幅に対して、各々１つの平均値が形成され、その結果、Ｎ個の平均値対が形成される。その際、出力信号値の振幅をローデータ値の振幅の関数として記述する多項式の係数が算出される。こうすることによって、これらの各量間に依存する曲線が平滑化される。それから、この多項式は、誤差のある振幅対（ローデータ値／出力信号値）の内挿／外挿補間用に、全部でＮ個の振幅間隔を値対で充填するために利用される。
【００３５】
続いて、最大振幅間隔Ｎから、ローデータ振幅平均値と出力信号振幅値とが、電力増幅器６の全増幅度の算出用に利用される限りで、出力信号振幅の正規化が行われる。
【００３６】
その際、最小平均誤差２乗法によって、プリディストーション値がルックアップテーブル２内でアクチュエートされ、その際、所定の振幅間隔内でのローデータ及び出力信号値の実数−及び虚数部の比較に基づいて、当該の振幅間隔ｎからのローデータ値用の乗算係数として、電力増幅器６の振幅−及び位相歪ができる限り良好に補償される。その際、所望の全増幅度に関して場合によって生起する振幅偏差も、電力増幅器６内の歪に基づいて、ローデータ値と出力信号値との間で、場合によって生起する位相偏差も検出され、プリディストーション値のアクチュエートのために利用される。
【図面の簡単な説明】
【００３７】
【図１】移動通信端末装置の送信段のブロック略図
2006502630.tif 000003
【手続補正書】
【提出日】平成17年4月11日(2005.4.11)
【手続補正１】
【補正対象書類名】明細書
【補正対象項目名】０００２
【補正方法】変更
【補正の内容】
【０００２】
専門論文”Ａｍｐｌｉｆｉｅｒ  Ｌｉｎｅａｒｉｓａｔｉｏｎ  Ｕｓｉｎｇ  Ａｄａｐｔｉｖｅ  Ｄｉｇｉｔａｌ  Ｐｒｅｄｉｓｔｏｒｔｉｏｎ”，Ｓ．Ｐ．Ｓｔａｐｌｅｔｏｎ，”Ａｐｐｌｉｅｄ  Ｍｉｃｒｏ  Ｗａｖｅ  ＆  Ｗｉｒｅｌｅｓｓ”，２００１年２月刊、７２〜７７頁から、以下の各ステップ：
ａ）デジタルローデータ値を、電力増幅器の振幅依存及び位相依存の歪を補償するためのルックアップテーブルからのプリディストーション値と乗算することによって、デジタルローデータ値をプリディストーションし、該プリディストーションの際、ルックアップテーブルに、デジタルローデータ値の振幅とプリディストーション値との間の対応関係を有するステップ、
ｂ）電力増幅器の出力信号値を、適応ユニットにフィードバックするステップ、
ｃ）デジタルローデータ値を適応ユニットに供給するステップ、
ｄ）電力増幅器の歪の評価のために、適応ユニットで、時間的に相互に相応するデジタルローデータ値と出力信号値とを比較するステップ、
ｅ）電力増幅器（６）の作動中、ステップｄ）の結果に基づいて、ルックアップテーブルを適応するステップ
を有する適応的プリディストーション方法が記載されている。
【手続補正２】
【補正対象書類名】明細書
【補正対象項目名】００１０
【補正方法】変更
【補正の内容】
【００１０】
しかし、リアルタイムでルックアップテーブルの定常的な適応を実行すると、非常に高い計算コストが必要であるという欠点が生じる。
米国特許第２００２／００４４０１４号明細書から、プリディストーション値がオフラインでアクチュエートされる電力増幅器の線型化用の方法及び装置に基づいている。増幅器列内で場合によって生起する誤差は、入力信号の変化に関して比較的緩慢に変化し、その結果、リアルタイムの適合化は必要ないということに基づいている。新しいプリディストーション値の算出のために、このプリディストーション値を部分的に補間することができることが記載されている。
【手続補正３】
【補正対象書類名】明細書
【補正対象項目名】００１２
【補正方法】変更
【補正の内容】
【００１２】
この課題は、例えば、移動通信端末装置又は移動無線網の基地局のような、通信装置の電力増幅器を有する送信段用のデジタルローデータ値の適応的プリディストーション方法に関して、以下の各ステップ：
ａ）前記デジタルローデータ値を、電力増幅器の振幅依存及び位相依存の歪を補償するためのルックアップテーブルからのプリディストーション値と乗算することによって、デジタルローデータ値をプリディストーションし、該プリディストーションの際、ルックアップテーブルに、デジタルローデータ値の振幅と前記プリディストーション値との間の対応関係を有するステップ、
ｂ）電力増幅器の出力信号値を、適応ユニットにフィードバックするステップ、
ｃ）デジタルローデータ値を適応ユニットに供給するステップ、
ｄ）電力増幅器の歪の評価のために、適応ユニットで、時間的に相互に相応するデジタルローデータ値と出力信号値とを比較するステップ、
ｅ）ステップｄ）の結果に基づいて、ルックアップテーブルを適応するステップ
を有しており、その際、電力増幅器の作動中、適応ユニットを非連続的に作動させ、ルックアップテーブルのプリディストーション値を、少なくとも、発生していないデジタルローデータ値のために内挿／外挿することにより解決される。
【手続補正４】
【補正対象書類名】明細書
【補正対象項目名】００１９
【補正方法】変更
【補正の内容】
【００１９】
上述の課題は、例えば、移動通信端末装置又は移動無線網の基地局のような、通信装置の電力増幅器の線型化装置に関して、
電力増幅器の振幅依存歪を補償するために、デジタルローデータ値をプリディストーション値と乗算する乗算器を有しており、その際、ルックアップテーブルは、デジタルローデータ値とプリディストーション値との対応付けを有しており、
電力増幅器の出力信号値とデジタルローデータ値とを時間的に同期して供給して、電力増幅器の作動中、ルックアップテーブルを適応化するように構成された適応ユニットを有する装置において、適応ユニットは、ルックアップテーブルの非連続的な適応を実施するために利用される時間窓を定義する時間発生器を有しており、ルックアップテーブルが、少なくとも、発生していないデジタルローデータ値のために内挿／外挿されるようにして解決される。
【手続補正５】
【補正対象書類名】特許請求の範囲
【補正対象項目名】請求項１
【補正方法】変更
【補正の内容】
【請求項１】
例えば、移動通信端末装置又は移動無線網の基地局のような、通信装置の電力増幅器（６）を有する送信段用のデジタルローデータ値の適応的プリディストーション方法であって、以下の各ステップ：
ａ）前記デジタルローデータ値（Ｖｍ）を、前記電力増幅器（６）の振幅依存及び位相依存の歪を補償するためのルックアップテーブル（２）からのプリディストーション値と乗算することによって、前記デジタルローデータ値（Ｖｍ）をプリディストーションし、該プリディストーションの際、前記ルックアップテーブル（２）に、前記デジタルローデータ値（Ｖｍ）の振幅と前記プリディストーション値との間の対応関係を有するステップ、
ｂ）前記電力増幅器（６）の出力信号値（Ｖｒ）を、適応ユニット（９）にフィードバックするステップ、
ｃ）前記デジタルローデータ値（Ｖｍ）を前記適応ユニット（９）に供給するステップ、
ｄ）前記電力増幅器（６）の歪の評価のために、前記適応ユニット（９）で、時間的に相互に相応する前記デジタルローデータ値（Ｖｍ）と前記出力信号値（Ｖｒ）とを比較するステップ、
ｅ）前記電力増幅器（６）の作動中、前記ステップｄ）の結果に基づいて、前記ルックアップテーブル（２）を適応するステップ
を有する方法において、
適応ユニット（９）を非連続的に作動させ、ルックアップテーブル（２）のプリディストーション値を、少なくとも、発生していないデジタルローデータ値（Ｖｍ）に内挿／外挿することを特徴とする方法。
【手続補正６】
【補正対象書類名】特許請求の範囲
【補正対象項目名】請求項８
【補正方法】変更
【補正の内容】
【請求項８】
例えば、移動通信端末装置又は移動無線網の基地局のような、通信装置の電力増幅器の線型化装置であって、
前記電力増幅器（６）の振幅依存歪を補償するために、デジタルローデータ値（Ｖｍ）をプリディストーション値と乗算する乗算器（３）を有しており、ルックアップテーブル（２）は、前記デジタルローデータ値（Ｖｍ）と前記プリディストーション値との対応付けを有しており、
前記電力増幅器（６）の出力信号値とデジタルローデータ値（Ｖｍ）とを時間的に同期して供給して、電力増幅器の作動中、ルックアップテーブル（２）を適応化するように構成された適応ユニット（９）を有する装置において、
適応ユニット（９）は、ルックアップテーブル（２）の適応のために利用される時間窓を定義する時間発生器を有しており、前記ルックアップテーブル（２）が、少なくとも、発生していないデジタルローデータ値（Ｖｍ）のために内挿／外挿されることを特徴とする装置。
【国際調査報告】
2006502630.tif 000004
2006502630.tif 000005
2006502630.tif 000006
2006502630.tif 000007